(57)【要約】【課題】既設の支持脚に発生する有害なウイスカの飛散を防止するカバー部材を提供する。【解決手段】カバー部材は少なくともベースカバーとパイプカバーとで構成されている。各々は縦に少なくとも二つ割り構造とされ、支持脚の外周に各分割片を組み立てて、支持脚を気密的に被覆する構成とされている。【選択図】図１
2005016075.tif 000002
【特許請求の範囲】
【請求項１】
大型のコンピュータ、サーバー等が設置されたコンピュータ室の二重床パネルを支持する既設の支持脚を被覆するカバー部材であって、
前記カバー部材は少なくともベースカバーとパイプカバーとで構成されており、
各々は縦に少なくとも二つ割り構造とされ、上記支持脚の外周に各分割片を組み立てて、同支持脚を気密的に被覆する構成とされていることを特徴とする、床パネル用支持脚のカバー部材。
【請求項２】
ベースカバーはボックス部分とパイプカバーの支持部分とで構成され、両者が一体的に形成されていること、
ベースカバーの分割片は、各分割片のボックス部分に形成された接合片をビス止め可能に相互に重ね合わせる構成であり、更に、各分割片の支持部分に相互に嵌め合わせる雄形嵌合片と雌形嵌合片とを備えていることを特徴とする、請求項１に記載した床パネル用支持脚のカバー部材。
【請求項３】
パイプカバーはパイプ部分とトップ部分とで構成され、パイプ部分の上端部はトップ部分の下端部に嵌め込まれ、下端部はベースカバーの支持部分の中に差し込まれること、
前記トップ部分の下端部とパイプ部分の外周とが接着テープ材で気密的に接合され、同じトップ部分の上端部は支持脚の上端外周と同じく接着テープ材で気密的に接合され、パイプ部分の下端部とベースカバーの支持部分も接着テープ材で気密的に接合されていることを特徴とする、請求項１に記載した床パネル用支持脚のカバー部材。
【請求項４】
パイプ部分は、被覆する支持脚の高さに応じて長さが選択されることを特徴とする、請求項３に記載した床パネル用支持脚のカバー部材。
【請求項５】
パイプ部分はアルミ型材などで構成されていることを特徴とする、請求項３又は４に記載した床パネル用支持脚のカバー部材。
【発明の詳細な説明】
【０００１】
【発明の属する技術分野】
この発明は、主として大型のコンピュータやサーバー等（以下、コンピュータ等と省略する。）が設置されたコンピュータ室の二重床パネルを支持する既設の支持脚を気密的に被覆するカバー部材の技術分野に属し、特に前記既設の支持脚に発生する有害なウイスカの飛散を防止するカバー部材に関する。
【０００２】
【従来の技術】
大型のコンピュータ等が設置されたコンピュータ室床は、図１０に示すように二重床（フリーアクセスフロア）として構成され、床パネル２が支持脚３によってコンクリートスラブ上に約３０ｃｍ〜７０ｃｍの高さに確保されている。その床下空間にコンピュータ等１５を冷却させる空気の循環路や、コンピュータ等１５に必要なケーブル等の配線類が通されている。
【０００３】
床パネル２を支持する既設の支持脚３は、電気亜鉛メッキ等の表面処理が施されていることが多い。近年、電気亜鉛メッキを施した際の残留応力によって押し出された金属の髭状結晶（ウイスカと云う。）が、上記コンピュータ室内に飛散し、コンピュータ等の内部に入り込み、プリント基板や端子部分に電気的短絡を生じさせる問題が生じている。
【０００４】
塵やホコリであれば、コンピュータ等の冷却ファンに設置されているフィルタによって捕捉されるが、上記ウイスカは直径２μｍ、長さが２ｍｍ程度と極めて小さく、コンピュータ室に一度飛散すると捕捉することができない。そのため、通例のオフィス等では、二重床パネル上にある小型のコンピュータや事務設備を撤去して床パネルを捲り、支持脚そのものをウイスカが発生しない支持脚に交換して対処することが一般的に行われている。
【０００５】
しかし、コンピュータ室の大型コンピュータ等を停止させると、例えば前記コンピュータ等と接続されている銀行のＡＴＭ等が停止し、社会的に大きな影響を与える虞があるので、コンピュータ等を停止させて撤去し、支持脚を交換することは不可能に近い。
【０００６】
そのため、（社）電子情報技術産業協会のホームページでは、電気亜鉛メッキ等の表面処理が施された既設の支持脚を難燃性プラスチック樹脂製の筒状体で覆う対処手段を紹介している。
【０００７】
【非特許文献１】
（社）電子情報技術産業協会のホームページ［平成１５年６月１７日検索］、＜ＵＲＬ：ｈｔｔｐ：／／ｉｔ．ｊｅｉｔａ．ｏｒ．ｊｐ／ｉｎｆｏｓｙｓ／ｉｎｆｏ／ｗｈｉｓｋｅｒ／０２０１１５．ｈｔｍｌ＞
【０００８】
【本発明が解決しようとする課題】
ところが、上述したようにウイスカは極めて微細なもので、どのような手段で気密的に筒状体を用いて支持脚を被覆するかが、最も重要な課題であるのに、上記対処手段にはこの点が開示されていない。
【０００９】
また、床パネルを支持するために多数の支持脚が設置されているので、簡単に被覆することができる構成であることが望まれるが、筒状体の具体的構成も開示されていない。
【００１０】
更に、床パネルを支持する既設の支持脚は種々の高さに設定されているので、各支持脚に応じて被覆用の筒状体を製作するとコストが嵩む問題点がある。
【００１１】
本発明の目的は、床パネルを部分的に撤去することによって露出させた既設の支持脚を気密的に、且つ簡単に被覆してウイスカの飛散を防止することができる床パネル用支持脚のカバー部材を提供することである。
【００１２】
本発明の次の目的は、既設の支持脚の高さが異なっても、簡単な手順で能率良く安価に支持脚を被覆することができる床パネル用支持脚のカバー部材を提供することである。
【００１３】
【課題を解決するための手段】
上記従来技術の課題を解決するための手段として、請求項１に記載した発明に係る床パネル用支持脚のカバー部材は、
大型のコンピュータ、サーバー等が設置されたコンピュータ室の二重床パネルを支持する既設の支持脚を被覆するカバー部材であって、
前記カバー部材は少なくともベースカバーとパイプカバーとで構成されており、
各々は縦に少なくとも二つ割り構造とされ、上記支持脚の外周に各分割片を組み立てて、同支持脚を気密的に被覆する構成とされていることを特徴とする。
【００１４】
請求項２記載の発明は、請求項１に記載した床パネル用支持脚のカバー部材において、
ベースカバーはボックス部分とパイプカバーの支持部分とで構成され、両者が一体的に形成されていること、
ベースカバーの分割片は、各分割片のボックス部分に形成された接合片をビス止め可能に相互に重ね合わせる構成であり、更に、各分割片の支持部分に相互に嵌め合わせる雄形嵌合片と雌形嵌合片とを備えていることを特徴とする。
【００１５】
請求項３記載の発明は、請求項１に記載した床パネル用支持脚のカバー部材において、
パイプカバーはパイプ部分とトップ部分とで構成され、パイプ部分の上端部はトップ部分の下端部に嵌め込まれ、下端部はベースカバーの支持部分の中に差し込まれること、
前記トップ部分の下端部とパイプ部分の外周とが接着テープ材で気密的に接合され、同じトップ部分の上端部は支持脚の上端外周と同じく接着テープ材で気密的に接合され、パイプ部分の下端部とベースカバーの支持部分も接着テープ材で気密的に接合されていることを特徴とする。
【００１６】
請求項４記載の発明は、請求項３に記載した床パネル用支持脚のカバー部材において、
パイプ部分は、被覆する支持脚の高さに応じて長さが選択されることを特徴とする。
【００１７】
請求項５記載の発明は、請求項３又は４に記載した床パネル用支持脚のカバー部材において、
パイプ部分はアルミ型材などで構成されていることを特徴とする。
【００１８】
【本発明の実施形態、及び実施例】
以下に、請求項１〜５に記載した発明に係る床パネル用支持脚のカバー部材の実施形態を、図１〜図１０に基づいて説明する。
【００１９】
このカバー部材１は、ウイスカの飛散を防止するために、大型のコンピュータ等が設置されたコンピュータ室の二重床パネル２を支持する既設の支持脚３…を気密的に被覆するカバー部材として好適に使用される。なお、本発明で云う気密的とは、完全に密閉された状態を云うのでなく、少なくともウイスカの飛散を防止できる程度の状態を云う。
【００２０】
図１に示すカバー部材１は、ベースカバー４と、パイプカバー５を構成するパイプ部分６とトップ部分７との３体で構成されている。これらベースカバー４とパイプ部分６及びトップ部分７はそれぞれ縦に二つ割り構造とされ、電気亜鉛メッキ等の表面処理が施された既設の支持脚３の外周部に組み立てて、同支持脚３を気密的に被覆する構成とされている。
【００２１】
前記ベースカバー４は、図２及び図３に示すように、分割片４ａと４ｂとから成り、一例としてポリプロピレン等の難燃性プラスチック樹脂を原材料とした成型品である。前記分割片４ａと４ｂには、支持脚３のベース部分３ａを被覆するボックス部分８ａ、８ｂと、パイプカバー５のパイプ部分６の下端部を差し込み支持する支持部分９ａ、９ｂがそれぞれ一体的に形成されている（請求項２記載の発明）。前記ボックス部分８ａ、８ｂは、支持脚３のベース部分３ａを被覆するのに十分な大きさと形状、一例として高さが約２５ｍｍ、縦寸と横寸がそれぞれ約２７０ｍｍの箱形部材を縦に二つ割りにした構造とされ、その内部には被覆作業中に作業員が手を着いたり、足で踏んだりしても破損しないようにリブ１０を設けて補強されている。なお、具体的な図示は省略するが、ボックス部分８ａと８ｂの側壁の所定箇所に、四角形状（但し、これに限らない。）の薄肉部が形成されており、ペンチ等によってその箇所を折り曲げて、配線等を通す通孔を形成できるノックアウト構造が採用されている。
【００２２】
支持部分９ａ、９ｂは、差し込まれるパイプカバー５のパイプ部分６の下端部の外径Ｒ（図１を参照）と略等しい内径ｒ（一例として、約６１ｍｍ）を有する筒形部材をやはり縦に二つ割りにした構造とされ、分割片４ａと４ｂを組み立てた際に平面略中央部から鉛直上方に立ち上がるように、上記ボックス部分８ａ、８ｂにそれぞれ一体的に形成されている。
【００２３】
二つの分割片４ａと４ｂは、各分割片４ａ、４ｂのボックス部分８ａ、８ｂに形成された接合片１１ａ、１１ｂをビス止め可能に相互に重ね合わせる構成である。支持脚３のベース部分３ａの側方から二つの分割片４ａ、４ｂを突き合わせて組むと、ボックス部分８ａ、８ｂの接合片１１ａ、１１ｂが相互に重ね合わされ、略同心位置となった接合片１１ａ、１１ｂのネジ孔１１ｃ、１１ｄへ上方からドライバでタッピングビス（図示を省略）を差し入れ、ねじ結合して組み立てられる。更に、前記分割片４ａ、４ｂの支持部分９ａ、９ｂには、相互に嵌め合わせる雄形嵌合片１２ａと雌形嵌合片１２ｂとを備えており、前記雄形嵌合片１２ａと雌形嵌合片１２ｂを嵌め合わせることで止着され組み立てられる。その結果、分割片４ａと４ｂの相対峙する端面同士は当接状態が維持され、気密性が確保される。
【００２４】
前記パイプ部分６も、図４及び図５に示すように分割片６ａと６ｂとから成る。前記分割片６ａ、６ｂは、支持脚３のパイプ部分３ｂを被覆するのに十分な内径（一例として、約５７ｍｍ）を有するアルミ型材などを、図１に示すようにトップ部分７の下端部へ所定の深さ（一例として、約４０ｍｍ）嵌め込むことができる長さ（一例として、約３２１ｍｍ）に切断し、更に縦に二つ割りにした構造とされている（請求項５記載の発明）。
【００２５】
二つの分割片６ａと６ｂは、分割した端面部同士を突き合わせて結合し組み立てる構成である。支持脚３のパイプ部分３ｂを挟んで、一方の分割片６ａの端部６ｃが、他方の分割片６ｂの端部６ｄに形成された段部に嵌め込まれ組み立てられる（図６を参照）。その結果、分割片６ａの端部６ｃの内周面と分割片６ｂの端部６ｄの外周面は当接状態が維持され、やはり気密性が確保される。組み立てられた分割片６ａと６ｂは、その下端部が支持脚３のベース部分３ａの上面に着座するまで、ベースカバー４の支持部分９ａ、９ｂに差し込まれ、同支持部分９ａ、９ｂの上端部と接着テープ材１３（一例として、エフコテープ）で気密的に接合される（図１を参照、請求項３記載の発明）。なお、パイプカバー５のパイプ部分６の内周面と、支持脚３のパイプ部分３ｂの外周面との間にパッキン材１４が設置され両者の隙間を埋め、パイプカバー５のパイプ部分６の位置が固定されている。前記パッキン材１４は支持脚３のパイプ部分３ｂの外径とパイプ部分６の内径の差に応じて選択される。
【００２６】
トップ部分７も、図７〜図９に示すように分割片７ａと７ｂとから成る。これも、ベースカバー４と同様にポリプロピレン等の難燃性プラスチック樹脂を原材料とした成型品である。前記分割片７ａ、７ｂは、支持脚３のトップ部分３ｃを被覆するのに十分で、且つパイプ部分６の上端部を嵌め込むことができる内径（一例として、約６３ｍｍ）と長さ（一例として、約１３０ｍｍ）を有するパイプ材を縦に二つ割りにした構造とされている。その一方の端部相互は、例えば薄肉のヒンジ機構７ｃによって開閉可能に連結されている。他方の端部には、相互に嵌め合わせる雌形嵌合片７ｄと雄形嵌合片７ｅとを備えている。そして、前記分割片７ａ、７ｂの上端部にはそれぞれ、支持脚３のトップ部分３ｃの外周との隙間を塞ぐフランジ部分７ｆ、７ｇが形成されている。
【００２７】
前記分割片７ａと７ｂは、開いた状態で支持脚３のトップ部分３ｃの側方から当てがわれ、該トップ部分３ｃとパイプカバー５のパイプ部分６の上端部を挟むようにヒンジ機構７ｃによって閉じられ、雌形嵌合片７ｄと雄形嵌合片７ｅとを嵌め合わせ止着して組み立てられる。その結果、分割片７ａと７ｂの相対峙する端面同士は当接状態が維持され、やはり気密性が確保される。下端部はパイプカバー５のパイプ部分６の外周部と接着テープ材１３で気密的に接合される。上端部は支持脚３のトップ部分３ｃの上端外周と同じく接着テープ材１３で気密的に接合される（図１を参照、請求項３記載の発明）。
【００２８】
したがって、本発明に係るカバー部材１は、既設の支持脚３を気密的に被覆することができ、ウイスカの飛散を確実に防止することができる。また、各部材は、支持脚３の側方から簡単に組み立てることができ、被覆作業が簡単である。
【００２９】
支持脚３の高さが異なる場合は、パイプカバー５のパイプ部分６の上端部とトップ部分７の下端部との嵌め込み深さを調整（本実施形態では約１００ｍｍ）することができ、種々の高さの支持脚を被覆することができ、汎用性が高い。前記調整だけで対応できない場合は、被覆する支持脚３の高さに応じてパイプ部分６の長さが適正なものを適宜選択して使用する（請求項４記載の発明）。前記パイプ部分６は比較的低価格で入手することができるアルミ型材などで製作されるので、コストが嵩まない。
【００３０】
上記カバー部材１を用いた支持脚３の被覆作業は、コンピュータ等１５の周辺の二重床パネル２を捲って、手の届く範囲は床パネル２上から作業し、手の届かない範囲は、床下空間に潜って作業を行う（図１０を参照）。
【００３１】
なお、図１に示したカバー部材１のパイプカバー５は、パイプ部分６とトップ部分７とで構成されているが、この構成に限らない。パイプ部分６とトップ部分７とを一体的に構成しても良い（請求項１記載の発明）。
【００３２】
また、図１及び図３等に示したパイプカバー５のパイプ部分６は、アルミ型材などで製作されているが、これに限らない。トップ部分７と同様にポリプロピレン等の難燃性プラスチック樹脂製のパイプ材で製作しても、同様に実施できる。
【００３３】
更に、図１のカバー部材１は縦に二つ割にした構造とされているが、三つ割にした構造としても良く、施工性を考慮して決定される。
【００３４】
【本発明の奏する効果】
請求項１〜５に記載した発明に係る床パネル用支持脚のカバー部材は、簡単、迅速に既設の支持脚を気密的に被覆することができ、ウイスカの飛散を確実に防ぐことができる。また、各部材は、支持脚の側方から簡単に組み立てることができ、被覆作業が簡単である。
【００３５】
支持脚の高さが異なる場合は、パイプカバーのパイプ部分の上端部とトップ部分の下端部との嵌め込み深さを調整することができるので、種々の高さの支持脚を被覆することができ、汎用性が高い。前記調整だけで対応できない場合は、被覆する支持脚の高さに応じてパイプカバーのパイプ部分の長さが適正なものを適宜選択して使用できる。前記パイプ部分は比較的低価格で入手することができるアルミ型材などで製作されるので、コストが嵩まない。
【図面の簡単な説明】
【図１】本発明に係る床パネル用支持脚のカバー部材の実施形態を示した縦断面図である。
【図２】ベースカバーを示した平面図である。
【図３】ベースカバーを示した縦断面図である。
【図４】パイプカバーのパイプ部分を示した正面図である。
【図５】パイプカバーのパイプ部分を示した側面図である。
【図６】パイプカバーのパイプ部分の分割片相互の嵌め合い構造を示した図である。
【図７】パイプカバーのトップ部分の開いた状態を示した正面図である。
【図８】図７の平面図である。
【図９】パイプカバーのトップ部分を成す分割片をそれぞれ示した立面図である。
【図１０】コンピュータ室を概略的に示した図である。
【符号の説明】
１              カバー部材
２              二重床パネル
３              既設の支持脚
４              ベースカバー
４ａ、４ｂ      ベースカバーの分割片
５              パイプカバー
６              パイプ部分
７              トップ部分
８ａ、８ｂ      ボックス部分
９ａ、９ｂ      支持部分
１１ａ、１１ｂ  接合片
１２ａ          雄形嵌合片
１２ｂ          雌形嵌合片
１３            接着テープ材
１４            パッキン材
【図１】
2005016075.tif 000003
【図２】
2005016075.tif 000004
【図３】
2005016075.tif 000005
【図４】
2005016075.tif 000006
【図５】
2005016075.tif 000007
【図６】
2005016075.tif 000008
【図７】
2005016075.tif 000009
【図８】
2005016075.tif 000010
【図９】
2005016075.tif 000011
【図１０】
2005016075.tif 000012